(57)【特許請求の範囲】
【請求項１】
欄干上部に設けられたガードレールの下側水平部、中間傾斜部及び上側水平部にそれぞれ配置されており、かつ互いに間隔をおいて配置された複数のＬＥＤ素子をそれぞれ有している複数の棒状の長尺ＬＥＤユニット、
前記ガードレールに互いに間隔をおいて配置されており、前記長尺ＬＥＤユニットを挟持する板ばね式の複数の長尺ＬＥＤユニットホルダ、
前記ガードレールの下曲部及び上曲部に取り付けられており、かつ前記ガードレールへの取付位置が前記ガードレールの長手方向に所定の範囲で調整可能になっている可撓性の複数の帯状板、
互いに間隔をおいて配置された複数のＬＥＤ素子をそれぞれ有し前記長尺ＬＥＤユニットよりも短尺の複数の棒状の短尺ＬＥＤユニットを長手方向に連続して配置してなり、かつ前記帯状板に支持されている複数の短尺ＬＥＤユニット連結体、及び
前記長尺ＬＥＤユニット及び前記短尺ＬＥＤユニットの下方に配置されている照明カバー
を備え、
前記帯状板には、その長手方向に平行な複数の長孔が設けられており、
前記帯状板は、前記長孔を貫通するねじにより前記ガードレールに取り付けられており、
前記短尺ＬＥＤユニット連結体の長手方向の両端部は、前記長尺ＬＥＤユニットに隣接しており、
前記長尺ＬＥＤユニットホルダは、前記長尺ＬＥＤユニットを長手方向に所定の範囲で摺動させても前記長尺ＬＥＤユニットから引き出された配線に干渉しない位置に配置されており、
前記下側水平部における前記照明カバーの長手方向の端部と前記長尺ＬＥＤユニットとの間隔と、前記上側水平部における前記照明カバーの長手方向の端部と前記長尺ＬＥＤユニットとの間隔とが同じになっていることを特徴とする乗客コンベアの欄干照明装置。
【請求項２】
前記帯状板に設けられ、前記短尺ＬＥＤユニット連結体の長手方向下側への移動を阻止する薄板製の連結体ストッパをさらに備えていることを特徴とする請求項１記載の乗客コンベアの欄干照明装置。
【請求項３】
前記中間傾斜部の前記ガードレールに設けられ、前記長尺ＬＥＤユニットの長手方向下側への移動を阻止する薄板製の長尺ＬＥＤユニットストッパをさらに備えていることを特徴とする請求項１又は請求項２に記載の乗客コンベアの欄干照明装置。
【発明の詳細な説明】
【技術分野】
【０００１】
この発明は、複数のＬＥＤユニットを有し、乗客コンベアの欄干に設けられている乗客コンベアの欄干照明装置に関するものである。
【背景技術】
【０００２】
従来の乗客コンベアの欄干照明装置では、主に直径２０ｍｍ程度の蛍光放電管が光源として使用されている。しかし、各蛍光放電管の両端部にランプソケットが必要であるため、隣接する蛍光放電管の間にランプソケットによる暗部ができてしまう。
【０００３】
また、近年、省エネルギー化や長寿命化を図るために、光源としてＬＥＤ（発光ダイオード）素子を用いる欄干照明装置も提案されている。ＬＥＤ素子を用いる欄干照明装置では、欄干のガードレールの直線部に複数の棒状の長尺ＬＥＤユニットが配置されている。また、ガードレールの曲線部には、長尺ＬＥＤユニットよりも短尺の複数の短尺ＬＥＤユニットが長手方向に繋げて配置されている。
【０００４】
さらに、短尺ＬＥＤユニットは、曲線部取付板に取り付けられている。曲線部取付板は、隣接する短尺ＬＥＤユニット間に配置された複数の板ばねによりガードレールの内面に押し当てられている（例えば、特許文献１参照）。
【先行技術文献】
【特許文献】
【０００５】
【特許文献１】特開２０１１−１１６４９８号公報
【発明の概要】
【発明が解決しようとする課題】
【０００６】
上記のようなＬＥＤ素子を用いる従来の欄干照明装置では、隣接する短尺ＬＥＤユニット間に板ばねが配置されているため、隣接する短尺ＬＥＤユニット間に隙間が生じ、蛍光放電管使用時と同様の暗部が発生する。また、長尺ＬＥＤユニットをガードレールに固定するための接続金物が長尺ＬＥＤユニットの両端部に配置されているため、長尺ＬＥＤユニットの長手方向への位置調整が困難である。
【０００７】
この発明は、上記のような課題を解決するためになされたものであり、ＬＥＤユニットの長手方向への位置調整を容易に行うとともに、ＬＥＤユニットを長手方向に連続して配置することができ、長手方向に連続して発光させることができる乗客コンベアの欄干照明装置を得ることを目的とする。
【課題を解決するための手段】
【０００８】
この発明に係る乗客コンベアの欄干照明装置は、欄干上部に設けられたガードレールの下側水平部、中間傾斜部及び上側水平部にそれぞれ配置されており、かつ互いに間隔をおいて配置された複数のＬＥＤ素子をそれぞれ有している複数の棒状の長尺ＬＥＤユニット、ガードレールに互いに間隔をおいて配置されており、長尺ＬＥＤユニットを挟持する板ばね式の複数の長尺ＬＥＤユニットホルダ、ガードレールの下曲部及び上曲部に取り付けられており、かつガードレールへの取付位置がガードレールの長手方向に所定の範囲で調整可能になっている可撓性の複数の帯状板、及び互いに間隔をおいて配置された複数のＬＥＤ素子をそれぞれ有し長尺ＬＥＤユニットよりも短尺の複数の棒状の短尺ＬＥＤユニットを長手方向に連続して配置してなり、かつ帯状板に支持されている複数の短尺ＬＥＤユニット連結体を備え、短尺ＬＥＤユニット連結体の長手方向の両端部は、長尺ＬＥＤユニットに隣接しており、長尺ＬＥＤユニットホルダは、長尺ＬＥＤユニットを長手方向に所定の範囲で摺動させても長尺ＬＥＤユニットから引き出された配線に干渉しない位置に配置されている。
【発明の効果】
【０００９】
この発明の乗客コンベアの欄干照明装置は、長尺ＬＥＤユニットが板ばね式の長尺ＬＥＤユニットホルダにより挟持されており、短尺ＬＥＤユニット連結体を支持する帯状板のガードレールへの取付位置が所定の範囲で調整可能になっており、短尺ＬＥＤユニット連結体の長手方向の両端部は、長尺ＬＥＤユニットに隣接しており、長尺ＬＥＤユニットホルダは、長尺ＬＥＤユニットを長手方向に所定の範囲で摺動させても長尺ＬＥＤユニットから引き出された配線に干渉しない位置に配置されているので、ＬＥＤユニットの長手方向への位置調整を容易に行うとともに、ＬＥＤユニットを長手方向に連続して配置することができ、長手方向に連続して発光させることができる。
【図面の簡単な説明】
【００１０】
【図１】この発明の実施の形態１によるエスカレータを示す概略の構成図である。
【図２】図１の欄干の縦断面図である。
【図３】図２のＩＩＩ−ＩＩＩ線に沿う断面図である。
【図４】図２のＩＶ−ＩＶ線に沿う断面図である。
【図５】図２の中間傾斜部の欄干照明装置を示す斜視図である。
【図６】図２の下曲部の欄干照明装置を示す斜視図である。
【図７】図２の長尺ＬＥＤユニット及び短尺ＬＥＤユニット連結体を基準位置に配置した状態を示す側面図である。
【発明を実施するための形態】
【００１１】
以下、この発明を実施するための形態について、図面を参照して説明する。
実施の形態１．
図１はこの発明の実施の形態１によるエスカレータを示す概略の構成図である。図において、トラス１は、上下階の建築梁２ａ，２ｂ間に架設されている。トラス１には、無端状に連結された複数の踏段３が支持されている。踏段３は、トラス１内に設置された複数のレール（図示せず）に案内されて循環移動される。
【００１２】
踏段３の移動経路は、乗客を乗せる往路側区間、往路側区間の真下に位置し乗客を乗せない帰路側区間、上階で踏段３を反転させる上側反転部、及び下階で踏段３を反転させる下側反転部を有している。
【００１３】
また、踏段３の移動経路の往路側区間は、下側水平部（下側乗降口部）、中間傾斜部、上側水平部（上側乗降口部）、下側乗降口部と中間傾斜部との間に位置する下曲部、及び上側乗降口部と中間傾斜部との間に位置する上曲部を有している。
【００１４】
踏段３の両側のトラス１上には、一対の欄干４が立設されている。各欄干４には、踏段３に同期して循環移動される無端状の移動手摺５が設けられている。移動手摺５は、その往路において欄干４上を移動される。また、移動手摺５は、欄干４の一端部のニュアル部で折り返されて欄干４内に引き込まれ、欄干４の他端部の下部から引き出されている。
【００１５】
移動手摺５の移動経路の往路側区間も、踏段３の往路側区間に対応して、下側水平部Ａ、下曲部Ｂ、中間傾斜部Ｃ、上曲部Ｄ及び上側水平部Ｅを有している。下側水平部Ａ、中間傾斜部Ｃ及び上側水平部Ｅは直線部であり、下曲部Ｂ及び上曲部Ｄは曲線部である。
【００１６】
図２は図１の欄干４の縦断面図、図３は図２のＩＩＩ−ＩＩＩ線に沿う断面図、図４は図２のＩＶ−ＩＶ線に沿う断面図であり、図２は図３及び図４のＩＩ−ＩＩ線に沿う断面を示している。また、図５は図２の中間傾斜部の欄干照明装置を下から見上げた様子を示す斜視図、図６は図２の下曲部の欄干照明装置を下から見上げた様子を示す斜視図である。
【００１７】
欄干４は、その主体であるガラスパネル６と、ガラスパネル６の上端部に固定されたガードレール７とを有している。ガードレール７は、ガラスパネル６の上端部の外側に位置する照明取付部７ａと、照明取付部７ａ上に固定され移動手摺５を案内する手摺ガイド部７ｂとを有している。照明取付部７ａは、下方へ向けて開口している。移動手摺５は、手摺ガイド部７ｂの上端部に係合している。
【００１８】
照明取付部７ａには、欄干照明装置８が取り付けられている。欄干照明装置８は、移動手摺５の往路側区間の全長に渡って連続して設けられている。また、欄干照明装置８は、その照射面が下向きになるように照明取付部７ａに取り付けられている。
【００１９】
照明取付部７ａの開口には、透光性樹脂製の照明カバー９が嵌め込まれている。照明カバー９の長手方向の下端部９ａは、下側水平部Ａの下曲部Ｂとは反対側の終端から所定距離の位置に設けられている。また、照明カバー９の長手方向の上端部９ｂ（図７）は、上側水平部Ｅの上曲部Ｄとは反対側の終端から所定距離の位置に設けられている。
【００２０】
下側水平部Ａ、中間傾斜部Ｃ及び上側水平部Ｅにおける照明取付部７ａの内部には、複数の棒状の長尺ＬＥＤユニット１０が配置されている。各長尺ＬＥＤユニット１０には、複数のＬＥＤ素子１０ａが長手方向に互いに間隔をおいて配置されている。各長尺ＬＥＤユニット１０の両端部からは、配線（口出線）１０ｂが引き出されている。
【００２１】
下側水平部Ａ、中間傾斜部Ｃ及び上側水平部Ｅにおける照明取付部７ａの内部には、長尺ＬＥＤユニット１０を挟持する板ばね式の複数の長尺ＬＥＤユニットホルダ（クリップ）１１が溶着又は溶接等により固定されている。長尺ＬＥＤユニットホルダ１１は、長尺ＬＥＤユニット１０の長手方向に互いに間隔をおいて配置されている。また、この例では、各長尺ＬＥＤユニット１０が、２個の長尺ＬＥＤユニットホルダ１１により、長手方向へ摺動可能に保持されている。
【００２２】
長尺ＬＥＤユニットホルダ１１は、図５に示す基準位置に対して、長尺ＬＥＤユニット１０を長手方向に所定の範囲（±Ｌ）で摺動させても配線１０ｂに干渉しない位置に配置されている。即ち、長尺ＬＥＤユニット１０が基準位置にあるとき、長尺ＬＥＤユニットホルダ１１は、配線１０ｂの引出部から距離Ｌ以上内側に配置されている。
【００２３】
中間傾斜部Ｃにおける照明取付部７ａの内部には、長尺ＬＥＤユニット１０の長手方向下側への移動を阻止する複数の長尺ＬＥＤユニットストッパ２１が接着（例えば両面テープによる接着）等により固定されている。長尺ＬＥＤユニットストッパ２１は、長尺ＬＥＤユニット１０の数本おきに配置されている。
【００２４】
また、長尺ＬＥＤユニットストッパ２１は、薄板をＬ字形に折り曲げてなり、長尺ＬＥＤユニット１０の下側の端部が当接するように、照明取付部７ａに配置されている。
【００２５】
下曲部Ｂ及び上曲部Ｄにおける照明取付部７ａの内部には、可撓性の複数の帯状板１２が取り付けられている。この例では、下曲部Ｂ及び上曲部Ｄに帯状板１２がそれぞれ１つずつ取り付けられている。帯状板１２は、下曲部Ｂ及び上曲部Ｄにおける照明取付部７ａと同様の曲率半径（通常、約１．５〜２ｍ）で湾曲されている。
【００２６】
図６に示すように、帯状板１２には、その長手方向に平行な複数の長孔１２ａが設けられている。帯状板１２は、長孔１２ａを貫通するねじ１３により照明取付部７ａに取り付けられている。これにより、帯状板１２の照明取付部７ａへの取付位置がガードレール７の長手方向に所定の範囲で調整可能になっている。
【００２７】
各帯状板１２には、短尺ＬＥＤユニット連結体１４が支持されている。各短尺ＬＥＤユニット連結体１４は、長尺ＬＥＤユニット１０よりも短尺の複数（この例では６本）の短尺ＬＥＤユニット１５を長手方向に隙間なく連続して配置してなっている。また、短尺ＬＥＤユニット連結体１４は、帯状板１２の湾曲に応じて、互いに隣接する短尺ＬＥＤユニット１５間で屈曲されている。
【００２８】
各短尺ＬＥＤユニット１５には、複数のＬＥＤ素子１５ａが長手方向に互いに間隔をおいて配置されている。また、各短尺ＬＥＤユニット１５の両端部からは、配線（口出線）１５ｂが引き出されている。互いに隣接する短尺ＬＥＤユニット１５は、配線１５ｂを介して電気的に接続されている。
【００２９】
帯状板１２には、短尺ＬＥＤユニット連結体１４を挟持する板ばね式の複数の連結体ホルダ（クリップ）１６が溶接等により固定されている。連結体ホルダ１６は、短尺ＬＥＤユニット連結体１４の長手方向に互いに間隔をおいて配置されている。また、この例では、各短尺ＬＥＤユニット１５が２個の連結体ホルダ１６により保持されている。連結体ホルダ１６は、短尺ＬＥＤユニット１５の長手方向の両端部近傍に配置されている。
【００３０】
各帯状板１２には、短尺ＬＥＤユニット連結体１４の長手方向下側への移動を阻止する連結体ストッパ２２が溶接等により固定されている。連結体ストッパ２２は、薄板をＬ字形に折り曲げてなっている。連結体ストッパ２２には、短尺ＬＥＤユニット連結体１４の下側の端部が当接している。
【００３１】
短尺ＬＥＤユニット連結体１４の長手方向の両端部は、長尺ＬＥＤユニット１０に隙間なく隣接している。なお、図５及び図６では、長尺ＬＥＤユニット１０及び短尺ＬＥＤユニット連結体１４を１本ずつ示しており、隣接するＬＥＤユニットは省略している。また、互いに隣接する短尺ＬＥＤユニット１５と長尺ＬＥＤユニット１０とは、配線１０ｂ，１５ｂを介して電気的に接続されている。
【００３２】
この例では、ＬＥＤユニットは、６個のＬＥＤ素子で１回路が構成されている。このため、ＬＥＤ素子のピッチを２０ｍｍとすれば、ＬＥＤユニットの最短長さは１２０ｍｍとなる。そして、製造上の経済性から、ＬＥＤユニットは、最短長さの整数倍の長さで製造される。即ち、ＬＥＤユニットの製品長さは、約１２０ｍｍ、２４０ｍｍ、３６０ｍｍ、４８０ｍｍ、６００ｍｍ、７２０ｍｍ、８４０ｍｍ、９６０ｍｍ、１０８０ｍｍ、１２００ｍｍ・・・となり、これらの中から最適な長さの製品が選択されて使用されることになる。
【００３３】
例えば、実施の形態１の短尺ＬＥＤユニット連結体１４では、最短のＬＥＤユニット、即ち長さ約１２０ｍｍの短尺ＬＥＤユニット１５が６本用いられている。また、長尺ＬＥＤユニット１０としては、短尺ＬＥＤユニット１５の整数倍の長さのＬＥＤユニットが用いられる。
【００３４】
次に、図２の欄干照明装置８の設置方法について説明する。図７は図２の長尺ＬＥＤユニット１０及び短尺ＬＥＤユニット連結体１４を基準位置に配置した状態を示す側面図であり、ストッパ２１，２２の図示は省略した。長尺ＬＥＤユニット１０としては、前述の約２４０ｍｍ、３６０ｍｍ、４８０ｍｍ、６００ｍｍ、７２０ｍｍ、８４０ｍｍ、９６０ｍｍ、１０８０ｍｍ、１２００ｍｍ・・・の中から、ガードレール７の長さに応じて適当な長さのＬＥＤユニットが選定される。
【００３５】
また、図７では、下側水平部Ａの照明カバー９の下端部９ａと長尺ＬＥＤユニット１０との間隔ｇ１と、上側水平部Ｅの照明カバー９の上端部９ｂと長尺ＬＥＤユニット１０との間隔ｇ２とを、長尺ＬＥＤユニット１０の製品長さのとび数（ここでは１２０ｍｍ）の１／４以上（ここでは３０ｍｍ以上）として、上下両端部から長尺ＬＥＤユニット１０及び短尺ＬＥＤユニット連結体１４が隙間なく配置されている。
【００３６】
これにより、中間傾斜部Ｃには、長尺ＬＥＤユニット１０が配置されていない未配置部が残ることになる。この未配置部には、最も近い製品寸法の長尺ＬＥＤユニット１０が配置される。仮に、未配置部の長さ寸法（残り寸法）Ｗが９１０ｍｍの場合、９６０ｍｍのＬＥＤユニットが選択される。
【００３７】
この場合、残り寸法ＷよりもＬＥＤユニットの長さ寸法が５０ｍｍ長いため、未配置部の上下の長尺ＬＥＤユニット１０及び短尺ＬＥＤユニット連結体１４を、寸法差の半分ずつ、即ち（９６０−９１０）／２＝２５ｍｍずつ、未配置部から離れる方向へそれぞれ移動させる。
【００３８】
残り寸法よりもＬＥＤユニットの長さ寸法が短い場合は、未配置部の上下の長尺ＬＥＤユニット１０及び短尺ＬＥＤユニット連結体１４を、寸法差の半分ずつ、未配置部に近付く方向へそれぞれ移動させる。
【００３９】
長尺ＬＥＤユニット１０のとび数をＮとすれば、残り寸法Ｗと最も近い長尺ＬＥＤユニット１０との寸法差は、Ｎ／２以下となる。従って、長尺ＬＥＤユニット１０及び短尺ＬＥＤユニット連結体１４の基準位置からの位置調整量は、上部側及び下部側に少なくともＮ／２÷２＝Ｎ／４あればよく、前述の基準位置での間隔ｇ１，ｇ２もＮ／４以上あれば、照明カバー９の下端部９ａ及び上端部９ｂと下側水平部Ａ及び上側水平部Ｅの長尺ＬＥＤユニット１０とが干渉することはない。
【００４０】
なお、実際に新設のエスカレータに欄干照明装置８を設置する場合、エスカレータの階高により算出されたＬＥＤユニット基準位置からのＬＥＤユニット位置調整量に基づいて最終的な間隔ｇ１，ｇ２を算出する。そして、その間隔ｇ１をおくように、まず下側水平部Ａの長尺ＬＥＤユニット１０を取り付ける。
【００４１】
この後、下曲部Ｂの短尺ＬＥＤユニット連結体１４、中間傾斜部Ｃの長尺ＬＥＤユニット１０、上曲部Ｄの短尺ＬＥＤユニット連結体１４、上側水平部Ｅの長尺ＬＥＤユニット１０を下側から順に隙間なく取り付けていく。このような調整の結果、帯状板１２は、曲線部だけでなく、直線部にもかかることになる。
【００４２】
このようなエスカレータの欄干照明装置８では、長尺ＬＥＤユニット１０が板ばね式の長尺ＬＥＤユニットホルダ１１により挟持されており、短尺ＬＥＤユニット連結体１４を支持する帯状板１２のガードレール７への取付位置が所定の範囲で調整可能になっており、短尺ＬＥＤユニット連結体１４の長手方向の両端部は、長尺ＬＥＤユニット１０に隣接しており、長尺ＬＥＤユニットホルダ１１は、長尺ＬＥＤユニット１０を長手方向に所定の範囲で摺動させても配線１０ｂに干渉しない位置に配置されているので、ＬＥＤユニット１０，１５の長手方向への位置調整を容易に行うとともに、ＬＥＤユニット１０，１５を長手方向に連続して配置することができ、長手方向に連続して発光させることができる。
【００４３】
また、上下の間隔ｇ１，ｇ２を同じにすることができ、見栄えがさらに良く、意匠性を向上させることができる。
さらに、下曲部Ｂ、中間傾斜部Ｃ、上曲部Ｄの定尺のガードレール７を階高に合わせて変更する必要がなく、部品を共通化して製造コストの増加を抑えることができる。
さらにまた、薄板製のストッパ２１，２２を用いたので、暗部を生じさせることなく、ＬＥＤユニット１０，１５が振動等により経年的に下側へずれるのを防止することができる。
【００４４】
なお、上記の例では、水平部Ａ，Ｅに長尺ＬＥＤユニット１０を１本ずつ、中間傾斜部Ｃに長尺ＬＥＤユニット１０を２本以上配置したが、これらの本数は、水平部Ａ，Ｅや中間傾斜部Ｃの長さに応じて適宜変更できる。
また、短尺ＬＥＤユニット連結体１４における短尺ＬＥＤユニット１５の本数も適宜変更できる。
さらに、上記の例ではエスカレータの欄干照明装置８を示したが、この発明は、下曲部や上曲部を有する傾斜形の動く歩道の欄干照明装置にも適用できる。
【符号の説明】
【００４５】
７  ガードレール、８  欄干照明装置、１０  長尺ＬＥＤユニット、１１  長尺ＬＥＤユニットホルダ、１２  帯状板、１４  短尺ＬＥＤユニット連結体、１５  短尺ＬＥＤユニット、２１  長尺ＬＥＤユニットストッパ、２２  連結体ストッパ。
【図１】
0006012256.tif 000002
【図２】
0006012256.tif 000003
【図３】
0006012256.tif 000004
【図４】
0006012256.tif 000005
【図５】
0006012256.tif 000006
【図６】
0006012256.tif 000007
【図７】
0006012256.tif 000008